(57)【特許請求の範囲】
【請求項１】
カム面である摺動面をカムフォロワの摺動面に対応して形成したカム溝を有する第一の枠と、
上記カムフォロアの軸部が固着される軸穴を有し、上記第一の枠と相対移動する第二の枠と、
上記第二の枠の軸穴に固着される軸部と、該軸部の軸方向である上記第一の枠側の延長部に設けられ、上記カム溝のカム面と摺動する面を有して軸方向に分離して並設された複数の摺動面と、外力が作用したとき上記カム溝のカム面に食い込むための上記軸方向に分離して並設された複数の摺動面の端部のそれぞれに形成された上記第二の枠側に逃げ角を有する逃げ面を持つ複数のエッジ部と、を有したカムフォロワと、
を具備したことを特徴とするレンズ鏡筒。
【発明の詳細な説明】
【０００１】
【発明の属する技術分野】
本発明は、相対的に進退可能な複数の鏡枠を有するレンズ鏡筒に関する。
【０００２】
【従来の技術】
従来の進退可能な鏡枠を有するレンズ鏡筒において、円筒状の鏡枠を進退駆動するものとして、光軸に対して斜行するカム溝とそのカム溝に摺動自在に嵌入するカムフォロワを組み合わせた機構が一般的に利用されている。上述のカム溝に嵌入するカムフォロワの摺接構造としては、従来からカム摺動面上をカムフォロワの摺動面の全面が単に摺接して駆動されるような構造が採られていた。
【０００３】
【発明が解決しようとする課題】
しかしながら、上述のカムとカムフォロワを適用するレンズ鏡筒等においては、近年の製品の小型化や軽量化の要求から鏡枠の大きさが小さくなり、また、鏡枠の厚さ自体もも薄くなる傾向にある。したがって、鏡枠自体が変形しやすくなっており、カムフォロワに力が掛かった場合に鏡枠が変形してカムとカムフォロワとの係合が外れてしまうおそれがあった。
【０００４】
本発明は、上述の不具合を解決するためになされたものであり、カムフォロワを適用した枠進退機構を有するレンズ鏡筒において、カムフォロワの嵌合部分での外れが発生しにくく、しかも、枠の小型化が可能であって、スムーズな進退駆動が可能なレンズ鏡筒を提供することを目的とする。
【０００５】
【課題を解決するための手段】
本発明の一態様によるレンズ鏡筒は、カム面である摺動面をカムフォロワの摺動面に対応して形成したカム溝を有する第一の枠と、 上記カムフォロアの軸部が固着される軸穴を有し、上記第一の枠と相対移動する第二の枠と、
上記第二の枠の軸穴に固着される軸部と、該軸部の軸方向である上記第一の枠側の延長部に設けられ、上記カム溝のカム面と摺動する面を有して軸方向に分離して並設された複数の摺動面と、外力が作用したとき上記カム溝のカム面に食い込むための上記軸方向に分離して並設された複数の摺動面の端部のそれぞれに形成された上記第二の枠側に逃げ角を有する逃げ面を持つ複数のエッジ部と、を有したカムフォロワと、を具備している。
【０００８】
【発明の実施の形態】
以下、レンズ鏡筒の参考例を図に基づいて説明する。
図１，２は、参考例のレンズ鏡筒５０の分解斜視図である。図３，４は、上記レンズ鏡筒１の各状態での縦断面図であって、図３は、沈胴状態を示し、図４は、上半部が撮影準備状態およびワイド状態を、下半部がテレ状態を示す。なお、図１，２の分解斜視図における各部材は、形状を明らかにするために必ずしも組み立て状態時の回転姿勢では示されていない。
【０００９】
本レンズ鏡筒５０は、図１に示す沈胴位置から撮影準備位置間、すなわち、沈胴駆動領域の進退駆動を行う沈胴駆動系５０Ａと、図２に示す各レンズ群枠の繰り出し駆動を行うレンズ群駆動系５０Ｂと、レンズ群枠部５０Ｃとからなる。
【００１０】
上記沈胴駆動系５０Ａは、図１に示すように、主にカメラ本体に固定支持され、ヘリコイド駆動ギヤ７および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を直進移動する移動枠５とからなる。
【００１１】
上記沈胴駆動系５０Ａの各構造部材について詳細に説明すると、上記固定枠１は、カメラ本体５１（図３参照）に固着して支持されており、その外周部に貫通する移動枠突起挿通用直進溝１ｄが設けられ、内周部にヘイコイド雌ネジ１ａ、および、直進溝１ｂが設けられている。さらに、先端部に設けられている駆動リング支持部１ｃには、駆動リング３が回動駆動可能に装着され、当て板６により、上記駆動リング３のスラスト位置が規制される。また、外周部に軸方向に沿う長尺ギヤ形状のヘリコイドリング駆動ギヤ７が回転可能に支持され、その歯部は、固定枠内周部に露出している。
なお、上記直進溝１ｂ、および、後述する各直進溝は、撮影光学系の光軸Ｏに平行に設けられる溝とする。
【００１２】
上記駆動リング３には、外周部に図示しないズーム駆動系に噛合して駆動されるズームギヤ３ａおよび図示しないファインダ駆動系に噛合して駆動されるファインダギヤ３ｂとが設けられ、内周部に切り欠き状の凹部３ｃが設けられている。
【００１３】
上記回転枠２には、その内周部に谷状溝である直進溝２ａと、内周前方（被写体側）端部に内周溝２ｂが設けられ、外周部に突起２ｃが設けられている。なお、上記直進溝２ａは、その溝幅が光軸中心に向けて拡大する溝形状を有している。この直進溝２ａには、後述するカム枠Ｍ１１に固着されるテーパ状カムフォロワ１７が摺動可能に嵌合する。
【００１４】
上記ヘリコイドリング４には、その外周部にヘリコイド雄ネジ４ａと駆動ギヤ４ｂとが設けられている。
【００１５】
上記移動枠５には、その外周部にストロボ駆動用突起５ａと、直進ガイド用突起５ｂ，５ｃと、突起５ｄと、上記突起５ｃと突起５ｂおよび各突起５ｃ間を結ぶリング状のリブ部と上記突起５ｄの間に形成される周方向ガイド５ｅと、先端に突起５ｆとが設けられ、内周部に３組の複列の直進溝５ｇが設けられている。さらに、内外周を貫通する３つの谷状溝であるカム溝５ｈが設けられている。なお、上記カム溝５ｈは、光軸Ｏに対して斜行する斜行溝部を有し、その溝幅が光軸中心に向けて縮小する溝形状を有しており、このカム溝５ｈには、後述するカム枠Ｍ１１に支持されたテーパ状カムフォロワ１８が摺動（転動）可能に嵌合する。
【００１６】
上述の各部材で構成される沈胴駆動系５０Ａにおいて、上記移動枠５にはその周方向ガイド５ｅに上記ヘリコイドリング４が嵌入し、軸方向位置が規制された状態で回動自在に保持され、さらに、内周部には後述するレンズ群駆動系５０Ｂおよび各レンズ群枠部５０Ｃが回動，進退自在に組み込まれる。その移動枠５は、回転枠２の内周部に嵌入されるが、その嵌入状態で突起５ｆが内周溝２ｂと係合するので、回転枠２に対して軸方向位置が規制された状態で回動自在に支持されることになる。
【００１７】
上記回転枠２および移動枠５は、それぞれ突起２ｃ，５ｃ，５ｂを直進溝１ｂおよび１ｄに嵌入させた状態で固定枠１に直進可能状態で挿入される。そのとき、ヘリコイドリング４のヘリコイド雄ネジ４ａを固定枠１のヘリコイド雌ネジ１ａに、また、駆動ギヤ４ｂをヘリコイドリング駆動ギヤ７にそれぞれ噛合させる。
【００１８】
上記回転枠２および移動枠５の固定枠１への組み付け状態において、移動枠５と回転枠２がフィルム面側の沈胴位置にあるときに（図３参照）、ヘリコイドリング駆動ギヤ７を時計回り（被写体側から見て）Ｂ1 方向に回転させると、ヘリコイドリング４が反時計回りＣ1 方向に回動する。その回動によって移動枠５と回転枠２がＤ1 方向（被写体側方向）に一体的に撮影準備位置まで繰り出される（図４の上半部分参照）。
【００１９】
上記撮影準備位置に到達した状態では、回転枠２は、その突起２ｃが固定枠１の直進溝１ｂから外れ、駆動リングの凹部３ｃ側に嵌合する。この状態でズーム駆動系により駆動リング３をＥ0 方向に回動駆動させると、回転枠２が回動し、撮影準備位置から同方向に僅か回動してワイド位置へ到達し、さらに、同方向に回動するとテレ位置へズーム駆動される。
【００２０】
なお、駆動リング３を上述とは逆方向のＥ1 方向に回転駆動することによって、回転枠２がズーム位置から撮影準備位置へ回動し、さらに、ヘリコイドリング駆動ギヤ７を上述とは逆方向のＢ0 方向に回転駆動することによって、回転枠２および移動枠５を沈胴位置に繰り込むことができる。
【００２１】
次に、上記レンズ群駆動系５０Ｂについて説明する。
レンズ群駆動系５０Ｂは、図２に示すように、主に可動フレア絞り１５を支持する枠部材であり、移動枠５内に嵌入して進退駆動され、回転枠２と共に回転する樹脂製の第一の枠であるカム枠Ｍ１１と、カム枠Ｍ１１と共に回転し、２群枠２２を介して進退駆動されるカム枠Ｆ１２と、キー押さえ１４が固着され、レンズ群枠を直進ガイドするキーリング１３と、カム枠Ｍ１１に支持され、直進移動する絞り部材である可動フレア絞り１５とからなる。
【００２２】
レンズ群駆動系５０Ｂを構成する上記各部材について詳細に説明する。
上記カム枠Ｍ１１は、上記移動枠５の内周に回動かつ進退可能に嵌入する部材であり、外周部には、可動フレア絞りの先端凸部１５ｃが摺動する摺動面としての外周面１１ａと、段差面としての段差側面１１ｂと、段差周面１１ｃと、所定幅の端部外周面１１ａ′と、段差周面１１ｃの周方向に隣接する周方向傾斜面１１ｄとが設けられている。
【００２３】
さらに、カム枠Ｍ１１の外周部には、光軸中心に向けて径が増大するテーパ状の摺動面をもつ３つのカムフォロワ１７がその軸部１７ａを圧入して固着保持されいる。また、上記カムフォロワ１７の軸部１７ａに回転自在に支持され、光軸中心に向けて径が縮小するテーパ状の３つのカムフォロワ１８も配設されている。
【００２４】
なお、上記段差周面１１ｃは、フィルム面側端部に上記外周面１１ａより一段低く形成される面であって、可動フレア絞り１５の腕部の先端凸部１５ｃが摺接する摺動面である。なお、上記段差周面１１ｃの軸方向の幅は、先端凸部１５ｃが周方向に摺動できるように先端凸部１５ｃの軸方向の幅よりも僅かに大きいものとする。
【００２５】
また、カム枠Ｍ１１の内周部には、フィルム面側端部に設けられる内周溝１１ｅと、３つの直進溝１１ｆと、光軸Ｏに対し傾斜する斜行溝部を有する３つの２群カム溝１１ｇとが設けられている。
【００２６】
さらに、カム枠Ｍ１１の外周部には、３つのカムフォロワ１７がその軸部１７ａにより圧入固着される。また、上記カムフォロワ１７の軸部１７ａには、光軸中心に向けて径が縮小する円錐面を持つ３つのカムフォロワ１８が回転自在に嵌入する。
【００２７】
図５は、上記カム枠Ｍ１１に固着されるカムフォロワ１７の正面図であり、図６は、カムフォロワ１７の組み付け状態の断面図であって、上記カムフォロワ１７がカム枠Ｍ１１へ固着され、かつ、挿入された上記カムフォロワ１８を移動枠５のカム溝５ｈに嵌入させ、さらに、カムフォロワの摺動部を回転枠２のカム溝２ａに嵌入させた状態を示す。
【００２８】
上記カムフォロワ１７は、軸部１７ａ側に向けて（固着状態では光軸Ｏに向けて）、径が増大する円錐面状の摺動面１７ｃと、軸部１７ａと、軸部下方端部に設けられるエッジ部１７ｂとを有している。上記エッジ部１７ｂは、軸部１７ａの径ｄ1 と同一径で、角度９０°のエッジ角θ2 を有し、軸部１７ａ側に角度９０°である溝角θ1 のＶカット部が設けられている。
【００２９】
カムフォロワ１７の軸部１７ａがカム枠Ｍ１１の軸穴１１ｈに圧入、および／または、接着で固着された取り付け状態では、上記エッジ部１７ｂは、軸穴１１ｈ内に位置している。そして、カムフォロワ１７に外力が作用して該カムフォロワが傾こうとすると、エッジ部１７ｂが上記軸穴１１ｈに食い込む。したがって、回転枠２，移動枠５のカム溝を介して摺動面１７ｃやカムフォロワ１８が押圧され、軸部１７ａに光軸Ｏに沿う方向や直交する方向の力Ｆ1 ，Ｆ2 が作用しても（図６参照）、上記エッジ部１７ｂの食い込みにより軸部１７ａの抜け出しが防止される。
【００３０】
上記カム枠Ｆ１２は、上記カム枠Ｍ１１の内周に進退可能に嵌合する部材であって、外周部には３つの突起１２ａが設けられ、内周部には光軸Ｏに対し傾斜する斜行溝部を有する各３つの１群カム溝１２ｂ，２群カム溝１２ｃと、１つの３群カム溝１２ｄとが設けられている。
【００３１】
上記可動フレア絞り１５は、極薄板の部材であって、中央部に設けられるフレア絞り開口部となる開口１５ａと、装着前の自由状態で光軸Ｏに平行な方向から多少内側に向けて延出する弾性変形可能な部分であって、その先端部に周方向に突状の先端凸部１５ｃを有する３つの腕部１５ｂとが設けられている。組み付け状態において、上記先端凸部１５ｃは、上記腕部１５ｂが弾性変形してカム枠Ｍ１１の外周部１１ａ、または、段差周面１１ｃに所定付勢力で当接するものとする。
【００３２】
上記キーリング１３は、各レンズ群枠を直進ガイドするための薄板状部材であって、ビス孔１３ａと、位置決め孔１３ｂと、外周に設けられる３つの複列突起１３ｄと、複列突起１３ｄの間の溝１３ｅと、２つの切り欠き１３ｃと、光軸方向に延出する直進キー１３ｆとが設けられている。
【００３３】
上記キー押さえ１４は、円環の一部がカットされた弾性変形可能な部材であり、外周に沿って設けられる鍔１４ａと、２つのビス用ネジ孔１４ｂと、上記各ネジ孔の側方に設けられ、位置決め孔１３ｂに嵌入可能な位置決めピン１４ｃと、爪状係止部１４ｅを持つ２つの押さえピン１４ｄとが設けられている。
【００３４】
上述の各部材で構成されるレンズ群駆動系５０Ｂにおいて、まず、カム枠Ｍ１１には、その内周の直進溝１１ｆに突起１２ａを嵌合させた状態でカム枠Ｆ１２が進退摺動自在に嵌入され、さらに、カム枠Ｍ１１およびカム枠Ｆ１２内周部には、後述する各レンズ群枠が進退自在に組み込まれる。
【００３５】
レンズ群枠等が組み込まれたカム枠Ｍ１１は、沈胴駆動系５０Ａの移動枠５の内周部に回動自在に嵌入され、カム枠Ｍのカムフォロワ１８がカム溝５ｈに摺動自在に嵌入する。さらに、カムフォロワ１８が嵌入する軸部１７ａを持つカムフォロワ１７は、移動枠５を挿通して、回転枠２の直進溝２ａに摺動自在に嵌入する。したがって、回転枠２の回動に伴いカム枠Ｍ１１が共に回動しながら、移動枠５のカム溝５ｈによって光軸方向へ進退駆動する。
【００３６】
キー押さえ１４は、径方向に広げた状態で鍔１４ａをカム枠Ｍ１１の内周溝１１ｅに嵌入される。そのキー押さえ１４にキーリング１３が位置決めピン１４ｃと位置決め孔１３ｂで位置決めされた状態で取り付けられ、ビス１６により固着状態とする。したがって、キーリング１３は、カム枠Ｍ１１に対してフィルム側端部に軸方向位置が規制された状態で回動自在に支持される。
【００３７】
上記キーリング１３は、その複列の突起１３ｄが直進進退する移動枠５の複列の直進溝５ｇに摺動自在に嵌入されるので、回動することなく直進駆動される。さらに、キーリング１３の直進キー１３ｆが後述する２群レンズ枠２２の直進ガイド孔２２ｃに摺動自在に嵌入されるので、上記２群枠２２、および、２群枠に支持される１群枠２１，３群枠２３が直進ガイドされる。
【００３８】
可動フレア絞り１５は、その腕部１５ｂが上記キーリングの凹部１３ｅをフィルム面側から挿通し、先端凸部１５ｃが上記カム枠Ｍ１１の外周面１１ａ、または、段差周面１１ｃに摺接可能な状態で取り付けられる。
【００３９】
次に、上記レンズ群枠部５０Ｃについて説明する。
レンズ群枠部５０Ｃは、カム枠Ｍ１１，カム枠Ｆ１２に内蔵され、直進移動する各レンズ群保持枠で構成され、上記カム枠Ｆ１２を介して進退駆動され、１群レンズ４１を保持する１群枠２１と、上記キーリング１３を介して直進ガイドされ、上記カム枠Ｍ１１によって進退駆動される樹脂製の第二の枠である２群枠２２と、カム枠Ｆ１２を介して進退駆動される可動フォロワ２８と、可動フォロワ２８を介して進退駆動され、３群レンズ４３を保持する３群枠２３と、２群枠２２に保持されてフォーカシング駆動系（図示せず）により直進駆動され、２群レンズ４２を保持するフォーカシング枠２９（図３，４参照）とからなる。
【００４０】
上記２群枠２２には、外周部に各３つの金属製のカムフォロワ３２，３３が固着され、先端部に３つの突起２２ｂが設けられている。内周部には、キーリングの直進キー１３ｆが嵌入する直進ガイド孔２２ｃと、光軸Ｏ方向に沿う軸孔２２ｄ，切り欠き２２ｅと、光軸Ｏ方向に沿って固着支持されたガイド軸２７と、シャッタ４４が装着される開口２２ａが設けられている。
【００４１】
上記１群枠２１は、開口部２１ａに１群レンズ４１を保持しており、外周部に３つのカムフォロワ３１と、内周部に直進溝２１ｂが設けられている。
【００４２】
上記可動フォロワ２８は、３群枠２３の進退位置を規制する部材であり、２群枠２２のガイド軸２７の摺動自在に嵌入する軸孔２８ａと、カムフォロワ２８ｂと、３群枠２３を係止するための係止爪２８ｃとが設けられている。
【００４３】
上記３群枠２３は、２群枠２２により直進方向に摺動自在に支持される部材であって、固着支持されるガイド軸２４，２５と、可動フォロワの係止爪２８ｃとの被係止部２３ｂが設けられ、開口部に３群レンズ４３が保持されている。
【００４４】
フォーカシング枠２９は、２群レンズ４２を保持し、上記２群枠２２に進退可能に支持され、図示しないフォーカシング駆動系によって進退駆動される（図３，４参照）。
【００４５】
以上のような構成部材からなるレンズ群枠部５０Ｃにおいては、２群枠２２には、被写体側外周の突起２２ｂを１群枠の直進溝２１ｂに摺動自在に嵌入させて１群枠２１が装着される。また、軸孔２２ｄ，切り欠き２２ｅに３群枠のガイド軸２４，２５を摺動自在に嵌入させて３群枠２３が装着される。なお、ガイド軸２４には圧縮バネ２６が挿入されており、常時、３群枠２３は、フィルム面方向への付勢力を受けている。
【００４６】
さらに、２群枠２２には、そのガイド軸２７に軸孔２８ａを摺動自在に嵌入させて可動フォロワ２８が装着される。上記３群枠２３がカメラ本体５１の当接力を受けない状態では、可動フォロワ２８の係止爪２８ｃが３群枠２３の被係止部２３ｂに係合することによって、３群枠２３の位置決めがなされる。
【００４７】
上述のレンズ群枠部５０Ｃは、前述したレンズ群駆動系５０Ｂのカム枠Ｍ１１およびカム枠Ｆ１２に直進進退可能状態で組み込まれる。また、直進ガイドされるキーリング１３の直進キー１３ｆが２群枠２２の直進ガイド孔２２ｃに摺動自在に嵌入しているので、２群枠２２と共に、１，３群枠２１，２３および可動フォロワ２８も直進進退可能に支持される。
【００４８】
そして、１群枠のカムフォロワ３１は、カム枠Ｆの１群カム溝１２ｂに嵌入し、２群枠のカムフォロワ３２および３３は、カム枠Ｍの２群カム溝１１ｇとカム枠Ｆの２群カム溝１２ｃにそれぞれ嵌入する。さらに、可動フォロワのカムフォロワ２８ｂは、カム枠Ｆの３群カム溝１２ｄに嵌入する。
【００４９】
したがって、カム枠Ｍ１１に対する各枠部材等の進退位置としては、２群枠２２は、カム枠Ｍ１１の２群カム溝１１ｇで位置決めされ、カム枠Ｆ１２は、２群枠２２とカム枠Ｆ１２の２群カム溝１２ｃによって位置決めされる。さらに、可動フォロワ２８がカム枠Ｆの３群カム溝１２ｄによって位置決めされ、３群枠２３は、上記可動フォロワ２８の係止部２８ｃを介して位置決めされる。
【００５０】
ここで、上記２群枠２２の外周部に固着されるカムフォロワ３２と、カムフォロワ３２が摺動自在に嵌入するカム枠Ｍ１１のカム溝１１ｇの形状とその摺動動作について詳細に説明する。
図７は、上記カムフォロワ３２の正面図であり、図８は、２群枠２２に固着されたカムフォロワ３２とカム枠Ｍ１１のカム溝１１ｇとの嵌合状態を示す縦断面図である。
【００５１】
カムフォロワ３２は、図７に示すように軸部側に向けて広がるテーパ角（円錐母線角）θ3 をもつ円錐形状の摺動面３２ａと、上記摺動面の軸側の最大径部、すなわち、カム溝から離脱する方向の端部に設けられるエッジ部３２ｂと、Ｖカット溝３２ｇの一部であって、上記エッジ部３２ｂを形成するための逃げ角θ4 を持つ逃げ面３２ｃと、Ｖカット溝３２ｇの下部のフランジ部３２ｈと、圧入装着の座部３２ｄと、圧入のガイドとなる導入軸部３２ｆをもつ軸部３２ｅとを有している。
なお、上記軸部３２ｅは、２群枠２２の軸穴２２ｆに圧入、および／または、接着される軸部であって、上記導入軸部３２ｆは、軸部３２ｅよりもわずかに小径とする。
【００５２】
一方、カム枠Ｍ１１のカム溝１１ｇのカム面である摺動傾斜面は、カムフォロワ３２の摺動面３２ａのテーパ角θ3 に対応した台形状面である。そして、カムフォロワ３２の摺動面３２ａが嵌入した状態では、図８に示すようにカム溝１１ｇの摺動傾斜面が摺動面３２ａの接触長さより長く、エッジ部３２ｂがカム溝１１ｇの摺動傾斜面内に位置するような状態で嵌合している。
【００５３】
カム枠Ｍ１１の回動，進退駆動力は、カム溝１１ｇに嵌入したカムフォロワ３２を介して、２群枠２２に伝達され、進退駆動される。その駆動動作中、カム枠Ｍ１１のカム溝１１ｇの傾斜面とカムフォロワ３２の摺動面３２ａとの当接面には押圧による反力が発生する。
【００５４】
上記反力によりカム枠Ｍ１１，２群枠２２は、互いに外，内方向に変形しようとする。前述したように従来の鏡枠のカム溝，カムフォロワの構造であれば、上記の変形により上記鏡枠のカム溝，カムフォロワの嵌合が外れてしまう危険性がある。しかし、上述したカム溝１１ｇとカムフォロワ３２との組み合わせの場合、図８に示すように摺動面３２ａの下方端のエッジ部３２ｂがカム溝１１ｇの摺動傾斜面上で当接していることから、樹脂製のカム溝１１ｇの摺動傾斜面に食い込んで行くように作用する。その食い込み作用によってカム溝１１ｇとカムフォロワの摺動面３２ａが離れようとする状態が規制され、その嵌合部が外れにくくなる。
【００５５】
次に、以上のように構成されたレンズ鏡筒５０の沈胴，繰り出し動作について説明する。
レンズ鏡筒５０が沈胴状態にあるときは、図３に示すように回転枠２等すべての部材は、固定枠１内部に沈胴した状態に保持されている。このとき、３群枠２３と可動フレア絞り１５は、カメラ本体５１のアパーチャ５１ａ近傍に設けられた突起５１ｂで押圧され、収納位置にある。なお、この状態では可動フレア絞り１５の先端凸部１５ｃは、カム枠Ｍ１１の外周面１１ａ上を摺接しており、前方に移動している。
【００５６】
レンズ鏡筒５０を沈胴状態から撮影準備状態に駆動するには、ヘリコイドリング駆動ギヤ７をＢ1 方向に回転させ、ヘリコイドリング４をＣ1 方向に回動させる。その回動により回転枠２と移動枠５が直進溝１ｂにガイドされながら一体的にＤ1 方向に移動し、沈胴位置から撮影準備位置まで繰り出される（図４上半部分参照）。この状態では、移動枠５は、直進溝１ｄ，１ｂに係合した状態のままであるが、回転枠２は、その突起２ｃが直進溝１ｂから解放され、駆動リング３の凹部３ｃに係合し、駆動リング３によって回動可能な状態となる。
【００５７】
上記撮影準備状態からさらにズーム駆動系によって駆動リング３をＥ0 方向に僅かな角度だけ回動させると、レンズ鏡筒５０は図４の上半部分に示すワイド状態となる。
【００５８】
また、沈胴状態から撮影準備状態およびワイド状態への駆動過程で１群枠２１，２群枠２２は、回転枠２，移動枠５と共に繰り出される。３群枠２３は、圧縮バネ２６の付勢力でカム枠Ｍ１１および２群枠２２から相対的に後方へ離間し、可動フォロワ２８の係止爪２８ｃが３群枠２３の被係止部２３ｂと係合する位置であるワイド対応位置に相対的に後退する。
【００５９】
また、上記駆動過程で可動フレア絞り１５は、カム枠Ｍ１１に対して後退する３群枠２３に押圧され、同様に相対的に後退する。そのとき、腕部１５ｂの先端凸部１５ｃは、カム枠Ｍ１１の端部外周面上に到達し、さらに、カム枠Ｍ１１が僅かワイド位置までＥ0 方向に回動すると、連続傾斜面１１ｄを摺動降下して段差周面１１ｃ上に達する。この状態での可動フレア絞り１５は、カム枠Ｍ１１に対して所定の相対位置にあり、正常なフレア絞りとして機能する。
【００６０】
レンズ鏡筒５０のワイド状態からテレ状態への駆動は、駆動リング３をＥ0 方向に回動駆動し、回転枠２を同方向に回動させることによって行われる（図４の下半部参照）。すなわち、回転枠２のＥ0 方向への回動に伴って、カム枠Ｍ１１が回動し、移動枠５のカム溝５ｈに沿って繰り出される。また、カム枠Ｆ１２も直進溝１１ｆによりカム枠Ｍ１１と共に回動し、その繰り出し位置は、カム溝１２ｃの嵌入する２群枠２２のカムフォロワ３３を介して位置決めされる。
【００６１】
そして、２群枠２２は、キーリング１３により直進ガイドされた状態でカムフォロワ３２が嵌入するカム枠Ｍ１１の２群カム溝１１ｇによりテレ対応位置に繰り出される。また、１群枠２１は、カムフォロワ３１が嵌入するカム枠Ｆ１２の１群カム溝１２ｂにより同様にテレ対応位置に繰り出される。さらに、３群枠２３は、可動フォロワ２８がカム枠Ｆ１２の３群カム溝１２ｄにより位置決めされ、その可動フォロワ２８の係止爪２８ｂにより同様にテレ対応位置に位置決めされる。
【００６２】
また、ワイド状態からテレ状態をカム枠Ｍ１１が回動，進退駆動する間、可動フレア絞り１５は、キーリング１３の溝１３ｅによって回動することなく保持され、その先端凸部１５ｃが段差側面１１ｂとキーリング１３の溝１３ｅの側面とで挟まれた状態で段差周面１１ｃ上を摺接する。したがって、可動フレア絞り１５は、カム枠Ｍ１１に対して所定の離間位置に確実に保持され、正常なフレア絞りとして機能する。
【００６３】
次に、レンズ鏡筒５０をワイド状態から撮影準備状態さらに沈胴状態に駆動する場合は、駆動リング３を、一旦、Ｅ1 方向に回動させて撮影準備状態とする。その状態で１群枠２１，２群枠２２は、移動枠５内に繰り込まれている。３群枠２３は、カム枠Ｍ１１に対して相対的にまだ後退した位置にある（図４の上半部分参照）。また、可動フレア絞り１５の腕部の先端凸部１５ｃは、カム枠Ｍ１１がＥ1 方向に回動するので、段差周面１１ｃ上から連続傾斜面１１ｄを摺動して端部外周面１１ａ′上に位置する。
【００６４】
その後、ヘリコイドリング駆動ギヤ７をＢ0 方向に回転駆動して、ヘリコイドリング４をＣ0 方向に回動させると、移動枠５と共に回転枠２がＤ0 方向に後退し、回転枠２の突起２ｃの駆動リング３に対する係合が解放される。さらに、ヘリコイドリング４の回転を続行すると、回転枠２が移動枠５とともにＤ0 方向に移動し、固定枠１内に収納される沈胴位置まで繰り込まれる（図３参照）。
【００６５】
上記の沈胴動作で３群枠２３と可動フレア絞り１５は、カメラ本体５１の突起５１ｂに押圧されて圧縮バネ２６の付勢力に抗して相対的に前進する。そして、３群枠２３は、２群枠２２の内部に収納される（図３参照）。一方、可動フレア絞り１５もカム枠Ｍ１１に対して相対的に光軸方向に前進し、腕部の先端凸部１５ｃがカム枠Ｍ１１の端部外周面から外周面１１ａ上を前方に摺動し、収納状態となる（図３参照）。
【００６６】
以上、説明した参考例のレンズ鏡筒５０において、カム枠Ｍ１１の軸穴１１ｈに圧入されるカムフォロワ１７には、図６に示すようにその軸部１７ａにエッジ部１７ｂが設けられており、カムフォロワが傾こうとしたとき、あるいは、抜け出そうとしたときにエッジ部１７ｂが軸穴１１ｈに食い込む。したがって、例えば、カム枠Ｍ１１の肉厚が薄く、その変形により上記軸部１７ａに対して摺動面１７ａや他のカムフォロワ１８により光軸Ｏに沿う方向やそれに直交する方向の力が作用したとしても、上記食い込み作用により軸部１７ａの抜け出しが確実に防止される。特にカムフォロワ１７が金属であり、カム枠Ｍ１１が樹脂製であれば、上記食い込みによる効果が顕著となる。
【００６７】
また、カム枠Ｍ１１と２群枠２２におけるカム溝とカムフォロワの駆動機構では、図８に示すようにカムフォロワ３２の円錐形状の摺動面３２ａの端部の最大径部にエッジ部３２ｂを設け、そのエッジ部３２ｂをカム溝１１ｇの摺動面上に当接させている。
【００６８】
カム枠Ｍ１１と２群枠２２間の回動，進退動作中にカム溝１１ｇと摺動面３２ａの嵌合部にカムフォロワ３２を倒す方向の圧接力が作用した場合、例えば、上記枠部材の厚みが薄く、変形、または、変形しようとしても、エッジ部３２ｂがカム枠Ｍ１１のカム溝１１ｇの摺動面に食い込むように作用する。上述の食い込み作用によって、カム溝１１ｇとカムフォロワ３２の嵌合の外れが確実に防止され、良好な２群枠２２の進退駆動が得られる。特にカムフォロワ３２が金属であり、カム枠Ｍ１１が樹脂製であれば、上記食い込みによる効果が顕著となる。
【００６９】
次に、上記カムフォロワ１７，３２の各例について説明する。
まず、上記カムフォロワの第一の例として、図９の斜視図に示すカムフォロワ６２が提案できる。このカムフォロワ６２は、前記図７に示したカムフォロワ３２に対して同じ円錐形状の摺動面６２ａを持つが、上記円錐面の側面がカットされたカット面６２ｆとなっている。その他は上記カムフォロワ３２と同様にエッジ部６２ｂと逃げ面６２ｃと圧入、および／または、接着用軸部６２ｅが設けられており、前記カムフォロワ３２と同様の効果が得られ、しかも、カムフォロワの占有スペ−スが小さくなる。
【００７０】
また、上記カムフォロワの第二の例として、図１０のカム溝，枠部組み付け状態断面図に示すカムフォロワ６３を提案できる。このカムフォロワ６３は、前記図７に示したカムフォロワ３２に対して同じ円錐形状の摺動面６３ａ，エッジ部６３ｂ，逃げ面６３ｃ，Ｖ溝部６３ｇを有しているが、２群枠２２の軸穴２２ｆに圧入、および／または、接着される軸としての軸部６３ｅ上にＶ溝部６３ｇが付され、エッジ部６３ｈ，６３ｉが形成されている点が異なる。
【００７１】
このカムフォロワ６３を適用した場合、カム溝を介して該カムフォロワに側方向の外力、または、軸方向の抜力が作用したとき、エッジ部６３ｂによるカム溝１１ｇへの食い込み作用によってカム枠Ｍ１１のカム溝１１ｇに対して摺動面６３ａが外れにくくなると同時に、上記エッジ部６３ｈが軸穴２２ｆに食い込み、軸部６３ｅが２群枠２２から脱落しにくくなる。したがって、鏡筒の良好な動作状態が得られ、また、鏡枠寸法を不必要に大きくする必要がなく、レンズ鏡筒の小型化が図れる。特にカムフォロワ６３が金属であり、カム枠Ｍ１１と２群枠２２が樹脂製であれば、上記食い込みによる効果が顕著となる。
【００７２】
また、上記カムフォロワの第三の例として、図１１のカム溝，枠部組み付け状態断面図に示すカムフォロワ６４を提案できる。このカムフォロワ６４は、前記図７に示したカムフォロワ３２に対して同じ円錐形状の摺動面６４ａ，エッジ部６４ｂと軸部６４ｅ，軸導入部６４ｆが設けられているが、エッジ部６４ｂを形成するための逃げ面６４ｃがＶカット溝ではなく円錐面のみで形成され、その下方にフランジ部を設けない点が異なっている。なお、エッジ部６４ｂは、カム溝１１ｇの摺接面内に位置しているものとする。
【００７３】
このカムフォロワ６４を適用すれば、上記カムフォロワ３２による効果に加えて、逃げ面６４ｃの下部の傾斜突出部分を無くした形状を採用していることから、カム枠Ｍ１１のカム溝１１ｇの深さを浅くすることが可能であり、レンズ鏡筒のさらなる小型化が図れる。
【００７４】
また、上記カムフォロワの第四の変形例として、図１２の正面図に示すカムフォロワ６５を提案できる。このカムフォロワ６５は、前記図５，６に示したカムフォロワ１７に対して同じ円錐形状の摺動面６５ｃを持つが、圧入軸部６５ａのエッジ部６５ｂの形状が異なるものである。すなわち、軸部６５ａ上に所定幅の凹状逃げ部６５ｄを設け、その逃げ部６５ｄの下側部に軸部６５ａと同一径のエッジ部６５ｂを設けたものである。
【００７５】
このカムフォロワ６５を２群枠２２の軸穴２２ｆに圧入、および／または、接着して取り付けた状態において、カム溝を介して該カムフォロワに軸直交方向（側方向）、または、軸方向（抜き方向）の外力が作用した場合、上記エッジ部６５ｂが軸穴２２ｆに食い込むように作用し、外れにくく、上記一実施の形態におけるカムフォロワ１７と同一の効果が得られる。
【００７６】
次に、本発明の第１の実施形態を図１３から図１５を参照して説明する。
図１３の正面図に示すカムフォロワ６６を提案できる。図１４は、上記カムフォロワのエッジ部の部分拡大図である。
【００７７】
上記カムフォロワ６６は、前記図７に示したカムフォロワ３２に対して同じ円錐形状の摺動面を持つが、その円錐形状の摺動面の中央部をＶ溝６６ｇと摺動面下端部をＶ溝６６ｈとで切り欠いた形状を有し、さらに、取り付け軸部も２つのＶ溝６６ｉ，６６ｊで切り欠いた形状を有している。
【００７８】
すなわち、カムフォロワ６６の上記円錐形状の摺動面は、テーパ角（円錐母線角）θ11をもつ円錐形状の分離摺動面６６ａ，６６ｂからなる。その分離摺動面間にＶ溝６６ｇが設けられる。摺動面６６ａの下端に逃げ角θ12の逃げ面を持つエッジ６６ｎが形成される。摺動面６６ｂの上端に逃げ角θ13の逃げ面を持つエッジ６６ｐが形成される。さらに、摺動面６６ｂの下部は、Ｖ溝６６ｈの切り欠きを有しており、摺動面６６ｂの下端に逃げ角θ14の逃げ面を持つエッジ６６ｑが形成される。Ｖ溝６６ｈの下部は、上記円錐形状の摺動面の内部に収まる円筒部、すなわち、少なくとも摺動面６６ｂを超えない径の円筒面部（フランジ部）６６ｃが設けられている。
【００７９】
一方、カムフォロワ６６には円筒面部６６ｃの下方に軸径ｄ2 の軸部６６ｄが設けられる。上記軸部６６ｄは、２つのＶ溝６６ｉ，６６ｊでその中央部が切り欠かれている。このＶ溝によってエッジ部６６ｒ，６６ｓ，６６ｔが形成される。軸部６６ｄの先端には、より小さい径の導入軸部６６ｖが設けられている。
【００８０】
上記エッジ部６６ｓは、図１４の部分拡大図に示すように軸径ｄ2 の微小幅部ｂ1 を有している。なお、上記エッジ部６６ｓ、また、他のエッジ部６６ｎ，６６ｑ等は、微小の曲率をもつ角部であってもよい。
【００８１】
図１５のカムフォロワのカム溝，枠部組み付け状態断面図は、上記カムフォロワ６６の軸部６６ｄを２群枠２２の軸穴２２ｆに圧入、および／または、接着して固着し、カム枠Ｍ１１のカム溝１１ｇ内に摺動面６６ａ，６６ｂを挿入した状態を示している。上記カム溝１１ｇは、同様に台形断面のカム面溝である。なお、上記組み付け状態でエッジ部６６ｒ，６６ｓ，６６ｔは、少なくとも軸穴２２ｆ内に位置し、エッジ部６６ｎ，６６ｑは、少なくともカム溝１１ｇの摺動面内に位置している。
【００８２】
上記カムフォロワ６６のカム溝，枠部組み付け状態において、該カムフォロワとカム溝間に軸直交方向（側方向）、または、軸方向（抜き方向）に外力が作用したとしても上記軸部６６ｄは、２つのエッジ部６６ｓ，６６ｔが２群枠２２の軸穴２２ｆに食い込むように採用することから強い保持力が作用してカムフォロワの軸部６６ｄの外れがより確実に防止できる。同時にカムフォロワ６６の摺動面６６ａ，６６ｂとカム枠Ｍ１１のカム溝１１ｇとは上記２つのエッジ部６６ｎ，６６ｑがカム溝１１ｇの摺動面に対して食い込むので強い保持力が作用していることから、カム枠Ｍ１１，２群枠２２の変形等による摺動面６６ａ，６６ｂとカム溝１１ｇとの外れがより確実に防止される。特にカムフォロワ６６が金属であり、カム枠Ｍ１１および２群枠２２が樹脂製であれば、上記食い込みによる効果が顕著となる。
【００８３】
また、上記カムフォロワの参考例として、図１６のカム溝，枠部組み付け状態断面図に示すカムフォロワ７２を提案できる。このカムフォロワ７２は、前記図７に示したカムフォロワ３２に対して摺動面が円筒形状である点が異なるものである。すなわち、円筒形状の摺動面７２ａと軸部７２ｅとを有しており、摺動面７２ａの中央部は、Ｖ溝７２ｃで切り欠かれ、エッジ部７２ｂ，７２ｄが形成されている。
【００８４】
上記カムフォロワ７２は、例えば、前記２群枠２２に相当する枠部材７４に対してその軸部７２ｅを軸穴７４ａに圧入、および／または、接着して固着させる。そして、摺動面７２ａを、例えば、前記カム枠Ｍ１１に相当するカム枠７３の平行カム溝７３ａに摺動自在に嵌入して取り付ける。なお、この取り付け状態でエッジ部７２ｂ，７２ｄは、平行カム溝７３ａの摺動面内に位置している。
【００８５】
上記カムフォロワ７２の取り付け状態において、該カムフォロワにカム溝を介して外力が作用したとき、エッジ部６３ｂの平行カム溝７３ａへの食い込み作用により平行カム溝７３ａに対して摺動面７２ａが軸方向にずれにくく、嵌合部はずれが防止される。特にカムフォロワ７２が金属であり、カム枠７３が樹脂製であれば、上記食い込みによる効果が顕著となる。
【００８６】
本発明の第２の実施形態を図１７から図１９を参照して説明する。
図１７の正面図に示すカムフォロワ７５を提案できる。図１８（Ａ），（Ｂ）は、上記カムフォロワのエッジ部の部分拡大図である。
【００８７】
上記カムフォロワ７５は、前記図１６に示したカムフォロワ７２に対して同じ円筒形状の摺動面を持つが、その円筒形状の摺動面上方部に２つのＶ溝７５ｅ，７５ｆを設け、さらに、取り付け軸部も２つのＶ溝７５ｇ，７５ｈで切り欠かれた形状を有している。
【００８８】
すなわち、カムフォロワ７５の上記摺動面７５ａは、外径ｄ3 の円筒形状の摺動面である。２つのＶ溝７５ｅ，７５ｆと上方傾斜面７５ｒとで形成されるエッジ部７５ｉ，７５ｊも同心の外径ｄ3 を有し、図１８（Ａ）の部分拡大図に示すようにそれぞれ摺動面７５ａと同一軸径ｄ3 の微小幅部ｂ2 を有している。なお、上記エッジ部７５ｉ，７５ｊは、微小の曲率をもつ角部であってもよい。
【００８９】
一方、カムフォロワ７５には円筒摺動面７５ａの下方には軸径ｄ4 の軸部７５ｂが設けられる。上記軸部７５ｂは、２つのＶ溝７５ｇ，７５ｈでその中央部が切り欠かれている。このＶ溝によってエッジ部７５ｍ，７５ｎ，７５ｐが形成される。軸部７５ｂの先端には、より小さい径の導入軸部７５ｒが設けられている。
【００９０】
上記エッジ部７５ｎは、図１８（Ｂ）の部分拡大図に示すように軸部７５ｂと同一軸径ｄ4 の微小幅部ｂ3 を有している。なお、上記エッジ部７５ｒは、微小の曲率をもつ角であってもよい。
【００９１】
図１９のカムフォロワのカム溝，枠部組み付け状態断面図に示すように、枠部材７４に対して上記カムフォロワ７５の軸部７５ｂを軸穴７４ａに圧入、および／または、接着して固着する。そして、摺動面７５ａをカム枠７３の平行カム溝７３ａに摺動自在に嵌入させて取り付ける。なお、この取り付け状態でエッジ部７５ｉ，７５ｊは、少なくとも平行カム溝７３ａのカム面である摺動面内に位置し、エッジ部７５ｎ，７５ｐは、少なくとも軸穴７４ａ内に位置している。
【００９２】
上記カムフォロワ７５の取り付け状態において、該カムフォロワとカム溝間に側方向、または、抜き方向の外力が作用してもエッジ部７５ｉ，７５ｊの平行カム溝７３ａへの食い込み作用によりカム枠７３の平行カム溝７３ａに対する摺動面７５ａの軸方向のずれによる嵌合部外れが防止される。同時にエッジ部７５ｎ，７５ｐの軸穴７４ａに対する食い込み現象によりカムフォロワの軸部７５ｂが枠部材の軸穴７４ａから抜け出しが防止される。特にカムフォロワ７５が金属であり、カム枠７３および枠部材７４が樹脂製であれば、上記食い込みによる効果が顕著となる。
【００９４】
【発明の効果】
上述のように本発明のレンズ鏡筒によると、枠のカム溝に嵌合するカムフォロワの摺動面端にカム溝の摺動面上に当接する複数のエッジ部を設けていることから、回動、あるいは、進退動作中、上記エッジ部がカム溝の摺動面に食い込む力が大きく、上記枠の枠厚みが薄く、回動，進退動作で変形、または、変形しようとした場合であっても、上記食い込み作用によりカムフォロワとカム溝との嵌合の外れが確実に防止でき、良好な枠の駆動が実現できる。
【図面の簡単な説明】
【図１】  参考例のレンズ鏡筒を構成する沈胴駆動系の分解斜視図。
【図２】  参考例のレンズ鏡筒を構成するレンズ群駆動系およびレンズ群枠部の分解斜視図。
【図３】  参考例のレンズ鏡筒の縦断面図であり、沈胴状態を示す。
【図４】  参考例のレンズ鏡筒の縦断面図であり、上半部が撮影準備状態およびワイド状態を示し、下半部がテレ状態を示す。
【図５】  上記参考例のレンズ鏡筒のカム枠Ｍに固着されるカムフォロワの正面図。
【図６】  上記参考例のレンズ鏡筒において、図５のカムフォロワをカム枠Ｍに固着し、回転枠等に組み込んだ状態の縦断面図。
【図７】  上記参考例のレンズ鏡筒における２群枠に固着されるカムフォロワの正面図。
【図８】  上記参考例のレンズ鏡筒において、図７のカムフォロワのカム枠Ｍのカム溝との嵌合状態での断面図。
【図９】  上記参考例のレンズ鏡筒におけるカムフォロワに対する第一の例のカムフォロワの斜視図。
【図１０】  上記参考例のレンズ鏡筒におけるカムフォロワに対する第二の例のカムフォロワの嵌合状態での断面図。
【図１１】  上記参考例のレンズ鏡筒におけるカムフォロワに対する第三の例のカムフォロワの嵌合状態での断面図。
【図１２】  上記参考例のレンズ鏡筒におけるカムフォロワに対する第四の例のカムフォロワの正面図。
【図１３】  本発明の第１の実施形態のレンズ鏡筒におけるカムフォロワを示す正面図。
【図１４】  図１３のカムフォロワのエッジ部の部分拡大図。
【図１５】  上記１実施形態のレンズ鏡筒におけるカムフォロワの嵌合状態を示す断面図。
【図１６】  カムフォロワの参考例を示す嵌合状態での断面図。
【図１７】  本発明の第２の実施形態のレンズ鏡筒におけるカムフォロワを示す正面図。
【図１８】  図１７のカムフォロワのエッジ部の部分拡大図であって、図１８（Ａ）は、摺動面のエッジ部部分拡大図であり、図１８（Ｂ）は、軸部のエッジ部部分拡大図である。
【図１９】  上記第２の実施形態のレンズ鏡筒におけるカムフォロワの嵌合状態を示す断面図。
【図１】
0005047410.tif 000002
【図２】
0005047410.tif 000003
【図３】
0005047410.tif 000004
【図４】
0005047410.tif 000005
【図５】
0005047410.tif 000006
【図６】
0005047410.tif 000007
【図７】
0005047410.tif 000008
【図８】
0005047410.tif 000009
【図９】
0005047410.tif 000010
【図１０】
0005047410.tif 000011
【図１１】
0005047410.tif 000012
【図１２】
0005047410.tif 000013
【図１３】
0005047410.tif 000014
【図１４】
0005047410.tif 000015
【図１５】
0005047410.tif 000016
【図１６】
0005047410.tif 000017
【図１７】
0005047410.tif 000018
【図１８】
0005047410.tif 000019
【図１９】
0005047410.tif 000020